(57)【要約】【課題】デジタル放送受信装置に電源が投入されてから映像および音声の出力が開始されるまでの起動時間を、消費電力の大幅な増加を招くことなく短縮する。【解決手段】デジタル放送受信装置に電源が投入されたとき、多重分離部１０２は、復調部１０１によって取り出されたＴＳパケットから、狭帯域放送に係るＴＳパケットを取得し、メインマイコン１１０が、多重分離部１０２によって取得された狭帯域放送に係るＴＳパケットから、エレメンタリーストリームを取り出し、伸張する。デジタル放送受信装置は、ＡＶデコーダ１０４によって伸張された映像データおよび音声データを用いた広帯域放送に係る映像および音声の再生が開始されるまで、メインマイコン１１０によって伸張された映像データおよび音声データを用いて、狭帯域放送に係る映像および音声の再生を実行する。【選択図】図１
2008187379.tif 000002
【特許請求の範囲】
【請求項１】
本放送、および上記本放送よりもデータ量が少ないサブ放送を含むデジタル放送を受信し、映像および音声を再生するデジタル放送受信装置であって、
受信したデジタル放送に対して復調を行い、トランスポートストリームパケットを取り出す復調部と、
上記復調部によって取り出されたトランスポートストリームパケットから、選択された番組の映像データまたは音声データを含むトランスポートストリームパケットを取得する多重分離部と、
上記多重分離部によって取得された本放送に係るトランスポートストリームパケットから、映像および音声のエレメンタリーストリームを取り出し、伸張するＡＶデコーダと、
マイコンとを備え、
当該デジタル放送受信装置に電源が投入されたとき、
上記多重分離部が、上記復調部によって取り出されたトランスポートストリームパケットから、サブ放送に係るトランスポートストリームパケットを取得し、
上記マイコンが、上記多重分離部によって取得されたサブ放送に係るトランスポートストリームパケットから、エレメンタリーストリームを取り出し、伸張し、
当該デジタル放送受信装置は、上記ＡＶデコーダによって伸張された映像データおよび音声データを用いた本放送に係る映像および音声の再生が開始されるまで、上記マイコンによって伸張された映像データおよび音声データを用いて、サブ放送に係る映像および音声の再生を実行することを特徴とするデジタル放送受信装置。
【請求項２】
請求項１のデジタル放送受信装置において、さらに、
上記ＡＶデコーダによって伸張された本放送に係る映像データに対する画質補正、当該映像データのデータ形式の変換、および上記ＡＶデコーダによって伸張された本放送に係る音声データの補正のうちの少なくとも１つの処理を行うＡＶ補正部を備え、
当該デジタル放送受信装置に電源が投入されたとき、
上記マイコンは、さらに、映像データに対する画質補正、映像データのデータ形式の変換、および音声データの補正のうち、上記ＡＶ補正部によって行われる処理をサブ放送について行い、
当該デジタル放送受信装置は、上記ＡＶ補正部によって上記処理が行われた映像音声データを用いた本放送に係る映像および音声の再生が開始されるまで、上記マイコンによって上記処理が行われた映像音声データを用いて、サブ放送に係る映像および音声の再生を実行することを特徴とするデジタル放送受信装置。
【請求項３】
請求項１のデジタル放送受信装置において、
当該デジタル放送受信装置の外部からの入力に応じて、上記マイコンを起動させるスタンバイマイコンを備えていることを特徴とするデジタル放送受信装置。
【請求項４】
請求項１のデジタル放送受信装置において、
上記復調部として、
上記マイコンが起動していない待機時に、受信したデジタル放送に対して復調を行い、トランスポートストリームパケットを取り出す第１の復調部と、
上記マイコンが起動した後、受信したデジタル放送に対して復調を行い、トランスポートストリームパケットを取り出す第２の復調部とを別個に備えていることを特徴とするデジタル放送受信装置。
【請求項５】
請求項１のデジタル放送受信装置において、さらに、
上記多重分離部によって取得されたトランスポートストリームパケットにかけられたスクランブルを解除するデスクランブラ部を備えていることを特徴とするデジタル放送受信装置。
【請求項６】
請求項１のデジタル放送受信装置において、さらに、
上記マイコンによって実行されるプログラムと、上記マイコン、上記多重分離部、および上記ＡＶデコーダを含む複数のデータ処理部によって出力されたデータとを一時的に格納するワークメモリと、
上記複数のデータ処理部と上記ワークメモリとの間に接続され、上記複数のデータ処理部による上記ワークメモリへの書き込みを制御するメモリインタフェースとを備えていることを特徴とするデジタル放送受信装置。
【請求項７】
請求項６のデジタル放送受信装置において、さらに、
当該デジタル放送受信装置に電源が投入されたとき、上記マイコンが、上記多重分離部によって取得されたトランスポートストリームパケットからエレメンタリーストリームを取り出し、伸張するのと並行して、上記復調部、上記多重分離部、および上記ＡＶデコーダの初期設定を行う初期設定制御部を備えていることを特徴とするデジタル放送受信装置。
【請求項８】
請求項７のデジタル放送受信装置において、さらに、
上記マイコンによって実行されるプログラム、および少なくとも１つのデータ処理部によって用いられる初期設定値を格納する不揮発メモリを備え、
当該デジタル放送受信装置に電源が投入されたとき、上記不揮発メモリから上記ワークメモリへ上記メモリインタフェースを介して上記初期設定値が転送されることを特徴とするデジタル放送受信装置。
【請求項９】
請求項８のデジタル放送受信装置において、
上記初期設定制御部が、当該デジタル放送受信装置に電源が投入されたとき、上記不揮発メモリから上記ワークメモリへ上記初期設定値を転送させることを特徴とするデジタル放送受信装置。
【請求項１０】
請求項８のデジタル放送受信装置において、
上記データ処理部に設けられた初期設定値格納部と上記ワークメモリの領域とが対応付けられており、
上記初期設定制御部は、当該デジタル放送受信装置に電源が投入されたとき、上記ワークメモリの上記領域のデータを、当該領域に対応付けられた初期設定値格納部へ上記初期設定値として転送することを特徴とするデジタル放送受信装置。
【請求項１１】
請求項１のデジタル放送受信装置において、さらに、
上記多重分離部がサブ放送に係るトランスポートストリームパケットを取得するのに必要な補助データを、上記マイコンが起動していない待機時に取得するサブマイコンを備えていることを特徴とするデジタル放送受信装置。
【請求項１２】
請求項１１のデジタル放送受信装置において、
上記サブマイコンは、さらに、上記多重分離部が本放送に係るトランスポートストリームパケットを取得するのに必要な補助データを、上記マイコンが起動していない待機時に取得することを特徴とするデジタル放送受信装置。
【請求項１３】
請求項１１のデジタル放送受信装置において、
上記サブマイコンは、上記マイコンが起動していない待機時に、さらに、上記サブ放送に係る上記トランスポートストリームパケットのうち、キーフレームに対応するトランスポートストリームパケットを取得し、
上記マイコンは、起動後、上記サブマイコンによって取得されたキーフレームに対応するトランスポートストリームパケットを用いて、エレメンタリーストリームの取り出しおよび伸張を開始することを特徴とするデジタル放送受信装置。
【請求項１４】
請求項１３のデジタル放送受信装置において、
上記サブマイコンは、上記マイコンが起動していない待機時に、さらに、上記本放送に係る上記トランスポートストリームパケットのうち、キーフレームに対応するトランスポートストリームパケットを取得し、
上記ＡＶデコーダは、起動後、上記サブマイコンによって取得されたキーフレームに対応するトランスポートストリームパケットを用いて、エレメンタリーストリームの取り出しおよび伸張を開始することを特徴とするデジタル放送受信装置。
【請求項１５】
請求項１のデジタル放送受信装置において、
上記多重分離部が本放送に係るトランスポートストリームパケットを取得するのに必要な補助データ、および上記多重分離部がサブ放送に係るトランスポートストリームパケットを取得するのに必要な補助データのうちの少なくとも一方を、放送信号からではなく、別回線を用いて取得することを特徴とするデジタル放送受信装置。
【請求項１６】
請求項１のデジタル放送受信装置において、さらに、
当該デジタル放送受信装置に電源が投入されてから上記マイコンが起動するまでの間に、上記復調部の初期化、およびサブ放送に係るトランスポートストリームパケットの取得のために必要となる上記多重分離部の初期化を行うサブマイコンを備えていることを特徴とするデジタル放送受信装置。
【請求項１７】
請求項１６のデジタル放送受信装置において、
上記サブマイコンは、当該デジタル放送受信装置に電源が投入されてから上記マイコンが起動するまでの間に、さらに、本放送の再生に必要な設定を行うことを特徴とするデジタル放送受信装置。
【請求項１８】
請求項１６のデジタル放送受信装置において、
上記サブマイコンは、さらに、上記多重分離部がサブ放送に係るトランスポートストリームパケットを取得するのに必要な補助データを、上記マイコンが起動していない待機時に取得することを特徴とするデジタル放送受信装置。
【請求項１９】
請求項１のデジタル放送受信装置において、
上記本放送の映像を表示するメイン映像表示部と、
上記サブ放送の映像を表示するサブ映像表示部とを備えていることを特徴とするデジタル放送受信装置。
【請求項２０】
請求項１９のデジタル放送受信装置において、
上記サブ映像表示部は、上記メイン映像表示部によって表示される映像の補助データ、本放送とは関係のない補助データ、および放送とは関係のない動画、静止画、または文字データを表示できることを特徴とするデジタル放送受信装置。
【請求項２１】
請求項１のデジタル放送受信装置において、
上記サブ放送に係る伸張後の映像音声データを、無線信号に変換して送信する映像音声送信部を備えていることを特徴とするデジタル放送受信装置。
【請求項２２】
請求項２１のデジタル放送受信装置、および上記デジタル放送受信装置から離れた状態で動作可能な受信装置を備え、
上記受信装置は、
上記映像音声送信部から送信された映像音声データを受信する映像音声受信部と、
上記映像音声受信部によって受信された映像データに基づいて映像を表示する映像表示部と、
上記映像音声受信部によって受信された音声データに基づいて音声を出力する音声出力部とを備えたデジタル放送受信システム。
【請求項２３】
請求項２２のデジタル放送受信システムにおいて、
上記受信装置は、上記デジタル放送受信装置を遠隔制御できることを特徴とするデジタル放送受信システム。
【請求項２４】
デジタル放送受信装置によって、本放送、および上記本放送よりもデータ量が少ないサブ放送を含むデジタル放送を受信し、映像および音声を再生するデジタル放送受信方法であって、
上記デジタル放送受信装置は、
デジタル放送に対して復調を行い、トランスポートストリームパケットを取り出す復調部と、
上記復調部によって取り出されたトランスポートストリームパケットから、選択された番組の映像データまたは音声データを含むトランスポートストリームパケットを取得する多重分離部と、
上記多重分離部によって取得された本放送に係るトランスポートストリームパケットから、映像および音声のエレメンタリーストリームを取り出し、伸張するＡＶデコーダと、
マイコンとを備えたものであり、
当該デジタル放送受信装置に電源が投入されたとき、
上記多重分離部が、上記復調部によって取り出されたトランスポートストリームパケットから、サブ放送に係るトランスポートストリームパケットを取得するステップと、
上記マイコンが、上記多重分離部によって取得されたサブ放送に係るトランスポートストリームパケットから、エレメンタリーストリームを取り出し、伸張するステップとを実行し、
上記ＡＶデコーダによって伸張された映像データおよび音声データを用いた本放送に係る映像および音声の再生が開始されるまで、上記マイコンによって伸張された映像データおよび音声データを用いて、サブ放送に係る映像および音声の再生を実行するデジタル放送受信方法。
【発明の詳細な説明】
【技術分野】
【０００１】
本発明は、主に、デジタル放送の受信装置に関するものである。
【背景技術】
【０００２】
テレビ放送が開始されてから近年まで、受信システムとしては、アナログ受信装置が主流であった。アナログ受信装置においては、テレビ放送の電波を受信してから、映像や音声（以下、これらをＡＶデータと略す）を出力するまでの処理を行う回路が、主にアナログ回路で構成されていた。画質処理、音声処理等の出力系の処理を、アナログ信号をデジタル信号に変換してから行う技術も発展してきている。しかし、発信されている放送電波の形式は以前から変わらないので、主流となる受信システムは、アナログ回路をデジタル回路に部分的に置き換えたものに留まっており、基本的には変わらなかった。
【０００３】
しかし、世界的な潮流として、衛星放送を皮切りに、放送システムそのものがデジタルシステムに切り替わり始めている。国によっては、アナログ放送を打ち切り、完全にデジタル放送に移行する方針をすでに打ち出している。
【０００４】
デジタル放送においては、ＡＶデータがデジタル信号として送受信されるので、信号劣化が防止され、鮮明な映像や音声が再現される。また、電波が効率的に使用されるので、画質向上（１フレームあたりの情報（画素数）の増加）、および多チャンネル化が可能になるとともに、番組との関連データやニュース等といった、所謂データ放送等の付加情報を大量に送受信することも可能になる。
【０００５】
反対に、デジタル放送で最も懸念されていることは、高精度のＡＶデータが劣化なく受信されるので、これらをそのままデジタル録画装置等に記録するといった複製が容易であり、著作権が侵害される可能性が高いことである。そのため、デジタル放送は、一般的に著作権保護機能を有する。具体的には、契約している視聴者だけが契約している番組／チャンネルだけを見ることを許可（未契約の番組は映らない）されるようになっていたり、録画装置によって録画された番組であっても、受信したテレビ装置以外では再生できないようになっている等、著作権が保護されるようになっている。
【０００６】
これらの特徴を有するデジタル放送は、様々な技術によって支えられている。具体的には、例えば、多チャンネル化に必要なデータ多重技術、限られた放送データ送信帯域の中で、できるだけ多くのＡＶデータと付加情報を送受信するためのデータ圧縮／伸張技術、放送送信側が意図した視聴者のみ視聴できるようにするためのコンディショナルアクセス（限定受信／データ暗復号）技術、映像を表示しながらさまざまな付加情報を表示するための画像重畳技術である。
【０００７】
特許文献１には、従来のデジタル放送受信装置の例について記載されている。同文献に記載された携帯型地上デジタル放送受信機は、同文献の図１に示すように、アンテナ１０１、受信部１０２、復調部１０３、分離部１０４、音声復号部１０５、音声出力部１０６、映像復号部１０７、提示表示部１０８、映像・画像出力部１０９、システムバス１１０、操作部１１１、不揮発性記憶部１１２、主記憶部１１３、および制御・演算部１１４を備えている。
【０００８】
当該携帯型地上デジタル放送受信機においては、起動時において、制御・演算部１１４が、同文献の図３に示すような手順を実行するようになっている。これにより、映像・音声の出力が開始されるまでに、受信部１０２、復調部１０３、分離部１０４、音声復号部１０５、および映像復号部１０７へのパラメータの設定が行われる。
【特許文献１】特開２００６−１５７５９５号公報
【発明の開示】
【発明が解決しようとする課題】
【０００９】
しかしながら、デジタル放送受信装置には、データ圧縮／伸張技術、コンディショナルアクセス技術等、デジタル放送を支える上記技術が用いられていることを要因とする非常に大きな課題がある。それは、電源を投入してから受信した番組の映像がテレビの表示装置に実際に映るまでの時間（いわゆる、起動時間）がアナログ放送受信装置に比べて長いことである。例えば、特許文献１に記載されたデジタル放送受信装置では、起動時、パラメータの設定等に時間がかかっていた。したがって、電源が投入されてから映像・音声の出力が開始されるまでの起動時間が長くなり、視聴者は、電源を投入するための操作をしてから、映像・音声が出力されるまでしばらく待たされていた。待ち時間が長いため、視聴者によっては、デジタル放送受信装置が壊れている、放送が終了している（始まっていない）等と勘違いすることもあった。
【００１０】
また、視聴しない時にも、常に電源を投入しておき、システム全体を起動状態にしておくようにすれば、待ち時間は短くなるが、消費電力が大きくなる。
【００１１】
本発明は、上記の点に鑑み、デジタル放送受信装置に電源が投入されてから映像および音声の出力が開始されるまでの起動時間を、消費電力の大幅な増加を招くことなく短縮することを目的とする。
【課題を解決するための手段】
【００１２】
上記の課題を解決するため、請求項１の発明は、
本放送、および上記本放送よりもデータ量が少ないサブ放送を含むデジタル放送を受信し、映像および音声を再生するデジタル放送受信装置であって、
受信したデジタル放送に対して復調を行い、トランスポートストリームパケットを取り出す復調部と、
上記復調部によって取り出されたトランスポートストリームパケットから、選択された番組の映像データまたは音声データを含むトランスポートストリームパケットを取得する多重分離部と、
上記多重分離部によって取得された本放送に係るトランスポートストリームパケットから、映像および音声のエレメンタリーストリームを取り出し、伸張するＡＶデコーダと、
マイコンとを備え、
当該デジタル放送受信装置に電源が投入されたとき、
上記多重分離部が、上記復調部によって取り出されたトランスポートストリームパケットから、サブ放送に係るトランスポートストリームパケットを取得し、
上記マイコンが、上記多重分離部によって取得されたサブ放送に係るトランスポートストリームパケットから、エレメンタリーストリームを取り出し、伸張し、
当該デジタル放送受信装置は、上記ＡＶデコーダによって伸張された映像データおよび音声データを用いた本放送に係る映像および音声の再生が開始されるまで、上記マイコンによって伸張された映像データおよび音声データを用いて、サブ放送に係る映像および音声の再生を実行することを特徴とする。
【００１３】
また、請求項２の発明は、
請求項１のデジタル放送受信装置において、さらに、
上記ＡＶデコーダによって伸張された本放送に係る映像データに対する画質補正、当該映像データのデータ形式の変換、および上記ＡＶデコーダによって伸張された本放送に係る音声データの補正のうちの少なくとも１つの処理を行うＡＶ補正部を備え、
当該デジタル放送受信装置に電源が投入されたとき、
上記マイコンは、さらに、映像データに対する画質補正、映像データのデータ形式の変換、および音声データの補正のうち、上記ＡＶ補正部によって行われる処理をサブ放送について行い、
当該デジタル放送受信装置は、上記ＡＶ補正部によって上記処理が行われた映像音声データを用いた本放送に係る映像および音声の再生が開始されるまで、上記マイコンによって上記処理が行われた映像音声データを用いて、サブ放送に係る映像および音声の再生を実行することを特徴とする。
【００１４】
また、請求項３の発明は、
請求項１のデジタル放送受信装置において、
当該デジタル放送受信装置の外部からの入力に応じて、上記マイコンを起動させるスタンバイマイコンを備えていることを特徴とする。
【００１５】
請求項１から請求項３の発明により、デジタル放送受信装置に電源が投入されたとき、マイコンは、本放送よりもデータ量の少ないサブ放送に係るトランスポートストリームパケットから、エレメンタリーストリームを取り出し、伸張する。サブ放送に係るエレメンタリーストリームを伸張する処理にかかる時間は、本放送に係るエレメンタリーストリームを伸張する処理にかかる時間よりも短いので、デジタル放送受信装置は、本放送に係る映像および音声の再生を開始できるようになる前に、サブ放送の映像および音声の再生を開始できる。
【００１６】
また、請求項４の発明は、
請求項１のデジタル放送受信装置において、
上記復調部として、
上記マイコンが起動していない待機時に、受信したデジタル放送に対して復調を行い、トランスポートストリームパケットを取り出す第１の復調部と、
上記マイコンが起動した後、受信したデジタル放送に対して復調を行い、トランスポートストリームパケットを取り出す第２の復調部とを別個に備えていることを特徴とする。
【００１７】
請求項４の発明により、第１の復調部に、待機時に必要なデータだけを処理させることによって、待機時の消費電力を低減できる。
【００１８】
また、請求項５の発明は、
請求項１のデジタル放送受信装置において、さらに、
上記多重分離部によって取得されたトランスポートストリームパケットにかけられたスクランブルを解除するデスクランブラ部を備えていることを特徴とする。
【００１９】
また、請求項６の発明は、
請求項１のデジタル放送受信装置において、さらに、
上記マイコンによって実行されるプログラムと、上記マイコン、上記多重分離部、および上記ＡＶデコーダを含む複数のデータ処理部によって出力されたデータとを一時的に格納するワークメモリと、
上記複数のデータ処理部と上記ワークメモリとの間に接続され、上記複数のデータ処理部による上記ワークメモリへの書き込みを制御するメモリインタフェースとを備えていることを特徴とする。
【００２０】
また、請求項７の発明は、
請求項６のデジタル放送受信装置において、さらに、
当該デジタル放送受信装置に電源が投入されたとき、上記マイコンが、上記多重分離部によって取得されたトランスポートストリームパケットからエレメンタリーストリームを取り出し、伸張するのと並行して、上記復調部、上記多重分離部、および上記ＡＶデコーダの初期設定を行う初期設定制御部を備えていることを特徴とする。
【００２１】
また、請求項８の発明は、
請求項７のデジタル放送受信装置において、さらに、
上記マイコンによって実行されるプログラム、および少なくとも１つのデータ処理部によって用いられる初期設定値を格納する不揮発メモリを備え、
当該デジタル放送受信装置に電源が投入されたとき、上記不揮発メモリから上記ワークメモリへ上記メモリインタフェースを介して上記初期設定値が転送されることを特徴とする。
【００２２】
また、請求項９の発明は、
請求項８のデジタル放送受信装置において、
上記初期設定制御部が、当該デジタル放送受信装置に電源が投入されたとき、上記不揮発メモリから上記ワークメモリへ上記初期設定値を転送させることを特徴とする。
【００２３】
また、請求項１０の発明は、
請求項８のデジタル放送受信装置において、
上記データ処理部に設けられた初期設定値格納部と上記ワークメモリの領域とが対応付けられており、
上記初期設定制御部は、当該デジタル放送受信装置に電源が投入されたとき、上記ワークメモリの上記領域のデータを、当該領域に対応付けられた初期設定値格納部へ上記初期設定値として転送することを特徴とする。
【００２４】
請求項７から請求項１０の発明により、初期設定制御部が、復調部、多重分離部、およびＡＶデコーダの初期設定を行うので、マイコンに、復調部、多重分離部、およびＡＶデコーダの初期設定を行う機能を設けなくてもよくなる。
【００２５】
また、請求項１１の発明は、
請求項１のデジタル放送受信装置において、さらに、
上記多重分離部がサブ放送に係るトランスポートストリームパケットを取得するのに必要な補助データを、上記マイコンが起動していない待機時に取得するサブマイコンを備えていることを特徴とする。
【００２６】
請求項１１の発明により、上記多重分離部がサブ放送に係るトランスポートストリームパケットを取得するのに必要な補助データをサブマイコンが待機時に取得するので、電源投入後に多重分離部が補助データを取得する必要がなくなる。したがって、電源が投入されてから、サブ放送の映像および音声の再生が開始されるまでの起動時間を短縮できる。
【００２７】
また、請求項１２の発明は、
請求項１１のデジタル放送受信装置において、
上記サブマイコンは、さらに、上記多重分離部が本放送に係るトランスポートストリームパケットを取得するのに必要な補助データを、上記マイコンが起動していない待機時に取得することを特徴とする。
【００２８】
請求項１２の発明により、上記多重分離部が本放送に係るトランスポートストリームパケットを取得するのに必要な補助データをサブマイコンが待機時に取得するので、電源投入後に多重分離部が補助データを取得する必要がなくなる。したがって、電源が投入されてから、本放送の映像および音声の再生が開始されるまでの時間を短縮できる。
【００２９】
また、請求項１３の発明は、
請求項１１のデジタル放送受信装置において、
上記サブマイコンは、上記マイコンが起動していない待機時に、さらに、上記サブ放送に係る上記トランスポートストリームパケットのうち、キーフレームに対応するトランスポートストリームパケットを取得し、
上記マイコンは、起動後、上記サブマイコンによって取得されたキーフレームに対応するトランスポートストリームパケットを用いて、エレメンタリーストリームの取り出しおよび伸張を開始することを特徴とする。
【００３０】
請求項１３の発明により、サブマイコンがサブ放送に係るトランスポートストリームパケットのうち、キーフレームに対応するトランスポートストリームパケットを待機時に取得するので、マイコンは、起動後、キーフレームの取得を待たずに、伸張処理を開始できる。
【００３１】
また、請求項１４の発明は、
請求項１３のデジタル放送受信装置において、
上記サブマイコンは、上記マイコンが起動していない待機時に、さらに、上記本放送に係る上記トランスポートストリームパケットのうち、キーフレームに対応するトランスポートストリームパケットを取得し、
上記ＡＶデコーダは、起動後、上記サブマイコンによって取得されたキーフレームに対応するトランスポートストリームパケットを用いて、エレメンタリーストリームの取り出しおよび伸張を開始することを特徴とする。
【００３２】
請求項１４の発明により、サブマイコンが本放送に係るトランスポートストリームパケットのうち、キーフレームに対応するトランスポートストリームパケットを待機時に取得するので、ＡＶデコーダは、起動後、キーフレームの取得を待たずに、伸張処理を開始できる。
【００３３】
また、請求項１５の発明は、
請求項１のデジタル放送受信装置において、
上記多重分離部が本放送に係るトランスポートストリームパケットを取得するのに必要な補助データ、および上記多重分離部がサブ放送に係るトランスポートストリームパケットを取得するのに必要な補助データのうちの少なくとも一方を、放送信号からではなく、別回線を用いて取得することを特徴とする。
【００３４】
請求項１５の発明により、デジタル放送受信装置は、本放送の再生に必要な補助データおよびサブ放送の再生に必要な補助データのうちの少なくとも一方を、放送信号とは別の回線を用いて取得する。
【００３５】
また、請求項１６の発明は、
請求項１のデジタル放送受信装置において、さらに、
当該デジタル放送受信装置に電源が投入されてから上記マイコンが起動するまでの間に、上記復調部の初期化、およびサブ放送に係るトランスポートストリームパケットの取得のために必要となる上記多重分離部の初期化を行うサブマイコンを備えていることを特徴とする。
【００３６】
請求項１６の発明により、サブマイコンが、復調部と多重分離部に対し、サブ放送を再生するのに必要な初期化を行うので、マイコンはこれらの初期化を行わなくてよくなる。したがって、電源が投入されてから、サブ放送の映像および音声の再生が開始されるまでの時間を短縮できる。
【００３７】
また、請求項１７の発明は、
請求項１６のデジタル放送受信装置において、
上記サブマイコンは、当該デジタル放送受信装置に電源が投入されてから上記マイコンが起動するまでの間に、さらに、本放送の再生に必要な設定を行うことを特徴とする。
【００３８】
請求項１７の発明により、サブマイコンが、本放送の再生に必要な設定を行うので、マイコンはこれらの設定を行わなくてよくなる。したがって、電源が投入されてから、本放送の映像および音声の再生が開始されるまでの時間を短縮できる。
【００３９】
また、請求項１８の発明は、
請求項１６のデジタル放送受信装置において、
上記サブマイコンは、さらに、上記多重分離部がサブ放送に係るトランスポートストリームパケットを取得するのに必要な補助データを、上記マイコンが起動していない待機時に取得することを特徴とする。
【００４０】
請求項１８の発明により、上記多重分離部がサブ放送に係るトランスポートストリームパケットを取得するのに必要な補助データをサブマイコンが待機時に取得するので、電源投入後に多重分離部が補助データを取得する必要がなくなる。したがって、電源が投入されてから、サブ放送の映像および音声の再生が開始されるまでの起動時間を短縮できる。
【００４１】
また、請求項１９の発明は、
請求項１のデジタル放送受信装置において、
上記本放送の映像を表示するメイン映像表示部と、
上記サブ放送の映像を表示するサブ映像表示部とを備えていることを特徴とする。
【００４２】
また、請求項２０の発明は、
請求項１９のデジタル放送受信装置において、
上記サブ映像表示部は、上記メイン映像表示部によって表示される映像の補助データ、本放送とは関係のない補助データ、および放送とは関係のない動画、静止画、または文字データを表示できることを特徴とする。
【００４３】
請求項１９から請求項２０の発明により、本放送の映像がメイン映像表示部に表示され、サブ放送の映像がサブ映像表示部に表示される。
【００４４】
また、請求項２１の発明は、
請求項１のデジタル放送受信装置において、
上記サブ放送に係る伸張後の映像音声データを、無線信号に変換して送信する映像音声送信部を備えていることを特徴とする。
【００４５】
請求項２１の発明により、映像音声送信部から送信された映像音声データに基づいて、デジタル放送受信装置と電線によって接続されていない装置が、サブ放送の映像および音声を出力できる。
【００４６】
また、請求項２２のデジタル放送受信システムは、
請求項２１のデジタル放送受信装置、および上記デジタル放送受信装置から離れた状態で動作可能な受信装置を備え、
上記受信装置は、
上記映像音声送信部から送信された映像音声データを受信する映像音声受信部と、
上記映像音声受信部によって受信された映像データに基づいて映像を表示する映像表示部と、
上記映像音声受信部によって受信された音声データに基づいて音声を出力する音声出力部とを備える。
【００４７】
また、請求項２３の発明は、
請求項２２のデジタル放送受信システムにおいて、
上記受信装置は、上記デジタル放送受信装置を遠隔制御できることを特徴とする。
【００４８】
請求項２２から請求項２３の発明により、サブ放送の音声および映像をデジタル放送受信装置から離れた受信装置に出力させることができる。
【発明の効果】
【００４９】
本発明によると、デジタル放送受信装置は、広帯域な放送の映像および音声の再生を開始する際に、その再生が可能になるまでに、狭帯域な放送の映像および音声を再生するので、デジタル放送受信装置に電源が投入されてから映像および音声の出力が開始されるまでの起動時間を、消費電力の大幅な増加を招くことなく短縮できる。
【発明を実施するための最良の形態】
【００５０】
以下、本発明の実施形態について、図面を参照して説明する。なお、以下の各実施形態において、他の実施形態と同様の機能を有する構成要素については同一の符号を付して説明を省略する。
【００５１】
《実施形態１》
まず、本発明の実施形態について説明する前に、デジタル放送（デジタルテレビジョン放送）について説明する。
【００５２】
移動体での受信や電波状態の悪い場所での受信が想定されて、デジタル放送には、電波帯域を大きく使って（広帯域）高精細な映像を放送するモードと、狭い帯域（狭帯域）で低精細な映像を放送するモードがある。前者のモードでは、電波状態が悪い等の条件によりデータがある一定以上欠落すると映像が映らなくなる。後者のモードでも同様であるが、元々必要とされるデータ量が少ないため、受信可能な電波状態の下限が低いことが一般的である。
【００５３】
このような性質から、移動体やポータブル受信装置は狭帯域モード、据え置き受信装置は広帯域モードで受信するように設計されることが想定される。そのため、同じ内容の番組を狭帯域および広帯域の両方に発信されることが一般的に行なわれている（サイマル放送）。日本国内では地上デジタル放送がこの方式を採用し、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）という技術を使って、１チャンネルを１３のセグメントに分割し、そのうち１２セグメントを使って高精細な広帯域放送（通常のハイビジョン放送）（本放送）、残りの１セグメントで低精細な狭帯域放送（ワンセグ放送）（サブ放送）を行なっている。
【００５４】
本発明のデジタル放送受信装置は、広帯域放送を受信して高精細な映像を再生する際に、データ量の少ない狭帯域放送であれば、起動時間を短くできることを利用し、広帯域放送の受信準備が完了するまでは狭帯域放送の映像を表示することによって、視聴者が早く番組を視聴できるようにするものである。
【００５５】
本発明の実施形態１に係るデジタル放送受信装置は、図１に示すように、アンテナ１００、復調部１０１、多重分離部１０２、デスクランブラ部１０３、ＡＶデコーダ１０４、ＡＶ補正部１０５、映像表示部１０６、音声出力部１０７、メモリインタフェース１０８、ワークメモリ１０９、メインマイコン１１０、不揮発メモリ１１１、スタンバイマイコン１１２、および不揮発メモリ１１３を備えている。また、リモコン１１４からの指令を受けるようになっている。
【００５６】
なお、以下の実施形態においては、デジタル放送の電波を受信し、映像および音声を再生するデジタル放送受信装置について説明するが、これに限らず、ケーブルを用いた有線放送であるデジタル放送を受信するようにしてもよい。
【００５７】
アンテナ１００は、放送局から送信されたデジタル放送の電波を受信する。
【００５８】
復調部１０１は、アンテナ１００によって受信された電波に対して復調を行う。より詳しくは、必要な周波数の選別（同調）を行い、搬送波からデジタルデータを取り出し、誤り訂正、インターリーブ等の処理を行うことによって、トランスポートストリームパケット（Ｔｒａｎｓｐｏｒｔ  Ｓｔｒｅａｍ  Ｐａｃｋｅｔ）（以下、「ＴＳパケット」と略す。）を取り出して出力する。このＴＳパケットは、１８８バイト固定長であり、ＭＰＥＧ−２システムの規格で採用された形式のデータである。
【００５９】
多重分離部１０２は、復調部１０１によって出力されたＴＳパケットから、選択された番組の映像データを含むＴＳパケット、および選択された番組の音声データを含むＴＳパケットを取得する。より詳しくは、ＴＳパケットがパケットの種別を特定するために保持しているＰａｃｋｅｔＩＤ（以下、ＰＩＤと略す。）を確認し、予め設定しているＰＩＤテーブルの選別設定に基づいて、必要なデータの取得および選別を行う。ここで、視聴者が選択した番組の映像データおよび音声データがそれぞれどのＰＩＤのＴＳパケットなのかを示す情報も、特定のＰＩＤを持ったＴＳパケット（番組情報）によって放送局から送られてくる。したがって、多重分離部１０２は、実際に視聴する映像音声データを取得するために、まず一定間隔で送信されてくる番組情報を持ったＴＳパケットを受信する。そして、ＴＳパケットに記述されている番組別のＰＩＤを参照し、そこに記載されているＰＩＤを多重分離部１０２のＰＩＤテーブルに設定する。これにより初めて、映像音声データ（ＡＶデータ）の取得が可能になる。
【００６０】
デスクランブラ部１０３は、暗号鍵により、多重分離部１０２によって取得されたＴＳパケットに掛けられたスクランブルを解除（復号）する。デジタル信号である映像音声データは、一般的に、契約していない視聴者等、意図しない視聴者による視聴が不可能となるように、ＴＳパケットのレベルでスクランブルがかけられている。契約済みの視聴者が映像および音声を視聴できるように、デスクランブラ部１０３でスクランブルが解除される。スクランブルを解くためには、通常、視聴者固有に付与されているマスター鍵（通常、受信装置に備えられるＩＣカード（Ｉｎｔｅｇｒａｔｅｄ  Ｃｉｒｃｕｉｔ  Ｃａｒｄ）等に格納されている。）と、放送局から随時送信されてくるワーク鍵およびスクランブル鍵（以降、この２つの鍵を総称してデスクランブル鍵と呼ぶ。）の複数の鍵が必要となる。マスター鍵は、静的に装備されているＩＣカード等からいつでもすぐに読み出せるが、デスクランブル鍵は、放送局から一定間隔で送信されてくるものであり、しかも定期的に変更されるものであり、常に最新の鍵が用いられる必要がある。なお、現在一般的なデジタル放送においては、ワーク鍵とスクランブル鍵の両方が必要とされるが、どちらか一方だけが必要な放送形態であれば、必要な一方だけが取得されるようにしてもよい。
【００６１】
ＡＶデコーダ１０４は、デスクランブラ部１０３によるデスクラブル処理後のＴＳパケットからＥＳ（Ｅｌｅｍｅｎｔａｒｙ  Ｓｔｒｅａｍ）を取り出し、ＭＰＥＧ２の規格に基づいて圧縮されたデータを復号（デコード、伸張）して出力する。ＭＰＥＧ２の規格で圧縮されたデータは、１枚のフレームデータすべての情報を持つＩピクチャ、Ｉピクチャとの差分情報を持つＰピクチャ、および前後のＩピクチャとＰピクチャの差分情報を持つＢピクチャから成り立っている。したがって、Ｉピクチャを受信して初めてデコードが可能となる。つまり、電源を投入して、Ｉピクチャを受信するまでは映像の復元ができない状態になる。電源投入のタイミングは任意なのでそのタイミングによっては、Ｉピクチャを受信する時間分（ＧＯＰ（Ｇｒｏｕｐ  Ｏｆ  Ｐｉｃｔｕｒｅｓ）に依存。）だけ待たされる可能性がある。音声データは比較的待ち時間が少ないが、映像とタイミングを合わせて出力される必要があるので、結局、音声データも映像データの出力待ちに合わせて待たされることになる。
【００６２】
ＡＶ補正部１０５は、ＡＶデコーダ１０４から出力された映像データに対し、画質補正およびデータ形式の変換を行う。具体的な主な処理としては、ＩＰ変換（インターレースの映像データをプログレッシブのデータに変換する）を行う。インターレース方式は、後続に接続される映像表示部としてブラウン管を用いた場合、データ量や動画表現にメリットがあるが、プラズマテレビや液晶テレビを用いた場合には、インターレース方式よりもプログレッシブ方式のほうが画質の面で有利である。インターレース方式の映像データをプログレッシブ方式に変換して出力するためには、インターレース方式のデータにおいて間引きされているデータを補完する必要がある。前後のラインデータから補完するもの、前後のフレームデータから補完するもの等、様々な方式が提案されている。高画質の映像が求められる場合には、前後のフレームデータを保持しておく必要がある。前後のデータを参照するまでプログレッシブに変換した信号を出力できないので、ここでも処理遅延が発生する。
【００６３】
また、ＡＶ補正部１０５は、ＩＰ変換の他に、映像表示部のサイズ（画素数等）に合わせたリサイズや、ＯＳＤ（Ｏｎ  Ｓｃｒｅｅｎ  Ｄｉｓｐｌａｙ）の機能に係る処理、すなわち、映像の上にチャンネル番号やデータ放送を重ねる処理等も行う。また、ＡＶデコーダ１０４から出力された音声データに対しても補正を行って出力する。また、ＡＶ補正部１０５は、内部にセレクタを有する。
【００６４】
映像表示部１０６は、ＡＶ補正部１０５によってＩＰ変換等の処理が施された映像データに基づいて、映像を表示する。
【００６５】
音声出力部１０７は、ＡＶ補正部１０５によって出力された音声データに基づいて、音声を出力する。
【００６６】
視聴者は、映像表示部１０６によって表示される映像、および音声出力部１０７によって出力される音声を視聴できる。
【００６７】
メモリインタフェース１０８は、メインマイコン１１０、多重分離部１０２、ＡＶデコーダ１０４、およびＡＶ補正部１０５によるワークメモリ１０９への書き込み、および読み出し等のアクセスを調停（制御）する。これは、ワークメモリ１０９が効率よく使用されるようにするためである。
【００６８】
ワークメモリ１０９は、メインマイコン１１０によって実行されるプログラム、およびメインマイコン１１０、多重分離部１０２、ＡＶデコーダ１０４、およびＡＶ補正部１０５によって出力されたデータを一時的に格納する。
【００６９】
メインマイコン１１０は、不揮発メモリ１１１に記録されているプログラムを、メモリインタフェース１０８を介してワークメモリ１０９に転送する。そして、ワークメモリ１０９に転送したプログラムを順次実行する。具体的には、例えば、メインマイコン１１０は、電源投入時に、システム全体のリセット処理、および各処理ブロックの初期設定等を行う。また、各処理ブロックにＤＳＰ（Ｄｉｇｉｔａｌ  Ｓｉｇｎａｌ  Ｐｒｏｃｅｓｓｏｒ）等のプロセッサ型の処理ブロックが存在する場合には、それらのためのマイクロプログラムのセットを行う。アンテナ１００によって受信されたＡＶデータが、復調部１０１等によって処理されるのは、これらのいわゆるシステム初期設定が完了してからである。
【００７０】
また、メインマイコン１１０は、デジタル放送受信装置に電源が投入されてから広帯域放送の電波に基づく映像と音声の再生が開始されるまで、狭帯域放送の電波から復調部１０１によって取り出されたＴＳパケットのうち多重分離部１０２によって取得されたＴＳパケットから、エレメンタリーストリームを取り出し、伸張し、伸長した映像をデータに対する画質補正、当該映像データのデータ形式の変換、および伸張した音声データの補正を行う。
【００７１】
不揮発メモリ１１１は、メインマイコン１１０によって実行されるプログラム、およびデスクランブラ部１０３、ＡＶデコーダ１０４等のデータ処理部によって用いられる初期設定値を格納する。
【００７２】
スタンバイマイコン１１２は、視聴者によるデジタル放送受信装置の外部からの入力に応じて、システム全体に電源を投入し、メインマイコン１１０を起動させる。
【００７３】
次に、上記のように構成されたデジタル放送受信装置の動作について説明する。
【００７４】
まず、電源投入前、デジタル放送受信装置は、視聴者によってリモコン等による電源投入のための操作が行われるのを待っている。この間（以下、「待機時」と呼ぶ。）、デジタル放送受信装置は、消費電力の少ない省電力モードで動作している。このモードでは、スタンバイマイコン１１２のみが動作している。スタンバイマイコン１１２に接続されている不揮発メモリ１１３はスタンバイマイコン１１２によるアクセスに応じて動作している。アンテナ１００、復調部１０１、多重分離部１０２、デスクランブラ部１０３、ＡＶデコーダ１０４、ＡＶ補正部１０５、映像表示部１０６、音声出力部１０７、メモリインタフェース１０８、ワークメモリ１０９、およびメインマイコン１１０は、待機時の消費電力を削減するため、完全に電源を落としている。
【００７５】
次に、視聴者によってリモコン１１４が操作され、電源が投入される動作を説明する。スタンバイマイコン１１２は、視聴者によってリモコン１１４のボタンが押下されたこと等を示す信号を受信すると、直ちにシステム全体に電源を投入する。その後、リセットが解除され、かつ動作クロックが安定した後、メインマイコン１１０が起動し始める。メインマイコン１１０は、まず、テレビジョンシステム全体を制御する（動作させる）ためのプログラム（命令列）を不揮発メモリ１１１からフェッチする。そしてプログラムを実行することによって、システム全体のリセット処理、および各処理ブロックの初期設定等を行う。メインマイコン１１０は、復調部１０１、多重分離部１０２、およびメモリインタフェース１０８の初期化が完了した時点で、アンテナ１００に放送データの受信を開始させる。なお、メインマイコン１１０は、ファーストフェッチは不揮発メモリ１１１から行い、最小限のプログラムを処理する。その間に、不揮発メモリ１１１からワークメモリ１０９にデータを転送しておき、転送が完了した時点で、不揮発メモリ１１１からのフェッチを、ワークメモリ１０９からのフェッチに切り替える。このように、不揮発メモリ１１１からワークメモリ１０９へ一旦プログラムが転送されるのは、ワークメモリ１０９に比べてアクセス速度が遅い不揮発メモリ１１１と直接データをやりとりすることによって、システム全体のレスポンスが悪化したり、リアルタイム処理に不具合が生じるのを防止するためである。なお、昨今のデジタル放送受信装置は高機能化が進み、プログラムサイズが増大しつつあり、それに伴って、そのプログラムを転送する時間も長くなる傾向にある。なお、メモリからメモリへの単純な転送の場合には、内部に持っているＤＭＡ（Ｄｉｒｅｃｔ  Ｍｅｍｏｒｙ  Ａｃｃｅｓｓ）制御機能（図示せず）がその処理を受け持ち、マイコンの負荷を軽減するしくみになっているのが一般的である。
【００７６】
アンテナ１００は、放送局から送信されたデジタル放送の電波を受信する。復調部１０１は、アンテナ１００によって受信された電波に対して復調を行い、ＴＳパケットを出力する。多重分離部１０２は、復調部１０１からのＴＳパケットを受けて必要なＴＳパケットを選別する。視聴しようとしている番組のＡＶデータを持ったパケットを選別するためのＰＩＤ情報は、番組情報を持ったＴＳパケットを取得後、そのデータを参照して多重分離部１０２に設定する。多重分離部１０２は、起動時には、まず、狭帯域放送の電波から取り出されたＴＳパケットを取得する。そして、取得したＴＳパケットを、メモリインタフェース１０８を介して、一旦ワークメモリ１０９に格納する。
【００７７】
ここで、狭帯域放送は、精細度が低いために、高精細な広帯域放送ほど著作権が厳しくない場合が多い。狭帯域放送の電波から得られるＴＳパケットは、一般的に、スクランブルがかかっていない。したがって、広帯域放送を再生する場合には、デスクランブル処理を行う必要があるが、狭帯域放送の場合にはその必要がない。よって、デスクランブルのための鍵を取得し、次にその鍵をセットした上でデスクランブル処理を行なう時間をかけなくてもよい。上述したように、デスクランブル鍵は放送局から比較的長い一定間隔で送信されてくるものである。電源投入のタイミングによっては、電源投入から鍵の取得までに１秒程度待たされる場合もある。したがって、デスクランブル鍵を取得する工程を省略することにより、起動時間を大幅に短縮できる。
【００７８】
また、ワークメモリ１０９に格納されたＡＶデータを含むＴＳパケットは、メモリインタフェース１０８を介してメインマイコン１１０によって読み込まれる。そして、メインマイコン１１０は、読み込んだＴＳパケットに対してＡＶデコード処理を行う。より詳しくは、読み込んだＴＳパケットから、映像および音声のエレメンタリーストリームを取り出し、伸張する。広帯域放送の電波から得られるＴＳパケットはデータ量も多く、専用ハードウェアを使わないとリアルタイムにデコードするのが困難である。しかし、狭帯域放送の電波から得られるＴＳパケットは、データ量が少ないので、例えば、２００ＭＨｚで３２ｂｉｔの汎用マイコン（デジタル放送受信装置でも広く使われているクラスのものである。）による処理も可能である。
【００７９】
デコード処理の終わったデータは、ＡＶ補正部１０５のセレクタ部のみを介し、映像表示部１０６および音声出力部１０７へ出力される（ＡＶデータの流れを図中、太線で表示している。）。
【００８０】
一旦、狭帯域放送の映像を表示し、音声を出力した（狭帯域放送の映像および音声の再生を実行した）本システムは引き続き、広帯域放送を受信するため、狭帯域放送を受信しながら、デスクランブラ部１０３、ＡＶデコーダ１０４、およびＡＶ補正部１０５の初期化と設定を行なう。多重分離部１０２がデスクランブル鍵を受信すると、デスクランブラ部１０３は、多重分離部１０２から出力された広帯域放送のＡＶデータのスクランブルを解いてＡＶデコーダ１０４に送る。そして、ＡＶデコーダ１０４は、デスクラブル処理後のＴＳパケットからＥＳを取り出し、復号して出力する。ＡＶ補正部１０５は、ＡＶデコーダ１０４から出力された映像データに対し、ＩＰ変換等の処理を行う。そして、ＡＶ補正部１０５によって出力された映像データ、および音声データに基づいて、映像および音声が出力される。広帯域放送の映像が表示できるようになった時点で、ＡＶ補正部１０５に設けられたセレクタによって、表示される映像が、それまで表示されていた狭帯域放送の映像から広帯域放送の高精細な映像に切り替えられる。
【００８１】
本実施形態のデジタル放送受信装置においては、一部処理ブロックの初期化、およびデスクランブル処理を起動時に行う必要がなく、起動時に映像処理の対象となるデータの量が少ない。したがって、従来よりも起動時間を短縮することができる。
【００８２】
《実施形態２》
実施形態１のデジタル放送受信装置では、多重分離部１０２が必要な番組のＡＶデータを含むＴＳパケットを取得するまでに、番組情報の取得を行う必要があり、その分起動時間が長くなっていた。実施形態２のデジタル放送受信装置は、その分の起動時間を短くするものである。
【００８３】
実施形態２に係るデジタル放送受信装置は、図２に示すように、実施形態１のデジタル放送受信装置の構成に加え、復調部２０１（第１の復調部）を、復調部１０１（第２の復調部）とは別個に備えている。また、実施形態１のデジタル放送受信装置のスタンバイマイコン１１２および不揮発メモリ１１３に代えて、スタンバイマイコン２０２（サブマイコン）および不揮発メモリ２０３を備えている。
【００８４】
復調部２０１は、アンテナ１００によって受信された電波に対して復調を行い、ＴＳパケットを取り出す。復調部２０１が有するこの機能は、復調部１０１と同様である。しかし、後述するように、復調を行う必要があるのは、待機時に送られてくる少ないデータである。したがって、復調部２０１に、待機時に最低限必要な機能のみを持たせ、復調部１０１よりも性能を低くしてもよい。また、復調部２０１には、省電力化のため必要な時間だけ電源を入れるようにしてもよい。
【００８５】
次に、本実施形態のデジタル放送受信装置の待機時における動作について説明する。待機時において、電源が入っている処理ブロックは、アンテナ１００、リモコン１１４、復調部２０１、スタンバイマイコン２０２および不揮発メモリ２０３であり、復調部１０１、多重分離部１０２、デスクランブラ部１０３、ＡＶデコーダ１０４、ＡＶ補正部１０５、映像表示部１０６、音声出力部１０７、メモリインタフェース１０８、ワークメモリ１０９、メインマイコン１１０、および不揮発メモリ１１１には、電源は入っていない。
【００８６】
復調部２０１は、待機時、アンテナ１００によって受信された電波に対して復調を行い、ＴＳパケットを取り出す。スタンバイマイコン２０２は、復調部２０１から出力されたＴＳパケットのうち、狭帯域放送の番組情報（補助データ）だけを取得する。取得した番組情報は、スタンバイマイコン２０２内のレジスタやキャッシュメモリ等に格納しておく。スタンバイマイコン２０２が、不揮発メモリ２０３等、記憶素子や記憶装置に接続されている場合には、それに格納してもよい。番組情報は一定間隔で送られてくるが、受信するＴＳパケットのうちのごくわずかであり、スタンバイマイコン２０２は、ＰＩＤだけを参照することによって番組情報を他のＴＳパケットと区別し、レジスタ等に格納しておくだけでよい。したがって、この処理を実行する時にスタンバイマイコン２０２にかかる負荷は低い。また、この処理は、通常の省電力型のスタンバイマイコンで実行可能である。
【００８７】
このように、本実施形態のデジタル放送受信装置においては、待機中にスタンバイマイコン２０２が番組情報を取得するので、起動時に多重分離部１０２が番組情報の取得を行う必要がない。したがって、その分、起動時間が短くなる。
【００８８】
なお、待機時に、スタンバイマイコン２０２が、狭帯域放送の番組情報だけでなく、広帯域放送の番組情報（補助データ）を取得しておくようにしてもよい。この場合、待機時により多くの番組情報を取得する必要がある分、待機時の消費電力が増える。しかし、狭帯域放送の映像表示時間を短縮し、狭帯域放送の映像表示終了後、広帯域放送の高精細な映像を早く表示させることができる。スタンバイマイコン２０２に、狭帯域放送の番組情報だけを取得させるか、または、狭帯域放送と広帯域放送の両方の番組情報を取得させるかは、デジタル放送受信装置の特色に応じて決定してもよい。
【００８９】
さらに、放送局がネットワークに対して番組情報を送信している場合、デジタル放送受信装置に、ＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等のネットワークを介して放送局から番組情報を取得する機能を設けてもよい。つまり、番組情報を、デジタル放送ではなく、別回線から取得するようにしてもよい。これにより、デジタル放送受信装置が、待機時と起動時のいずれにおいても比較的待ち時間なく番組情報を取得できるようになる。但し、ネットワークや放送局サーバはレイテンシが保証されていないため、通常の番組情報取得手段と併用することが待ち時間の短縮には効果的である。
【００９０】
《実施形態３》
実施形態１、２のデジタル放送受信装置は、電源投入後にまずは狭帯域放送を受信して表示するようになっており、これにより、起動時間が短縮されていた。狭帯域放送の表示開始後、メインマイコンは、広帯域放送の受信準備を引き続き行うが、並行して狭帯域放送のＡＶデータのＡＶデコード処理をも行う。また、狭帯域放送の表示開始準備と平行して、広帯域放送の受信準備が行われることもある。したがって、メインマイコンは、起動時における処理のために、高い性能を備える必要がある。メインマイコンの性能が低い場合、広帯域放送の受信準備を並行して行えなかったり、広帯域放送の受信準備に時間がかかりすぎたりする。実施形態３のデジタル放送受信装置は、メインマイコンに必要とされる性能を低くするものである。
【００９１】
実施形態３のデジタル放送受信装置は、図３に示すように、実施形態１のデジタル放送受信装置の構成に加え、復調部１０１、多重分離部１０２、デスクランブラ部１０３、ＡＶデコーダ１０４、およびＡＶ補正部１０５の初期設定を行う初期データ転送制御部３００（初期設定制御部）を備えている。
【００９２】
初期データ転送制御部３００は、メモリインタフェース１０８を介してワークメモリ１０９と接続されており、ワークメモリ１０９のデータをリード（ｒｅａｄ）することができる。また、この初期データ転送制御部３００は、広帯域放送を受信するための主な処理ブロック群へデータをライト（ｗｒｉｔｅ）する機能とデータバスを備えている。初期データ転送制御部３００は、図３に示すように、復調部１０１、多重分離部１０２、デスクランブラ部１０３、ＡＶデコーダ１０４、およびＡＶ補正部１０５に接続されている。
【００９３】
次に、本実施形態のデジタル放送受信装置の動作について説明する。
【００９４】
電源投入時、メインマイコン１１０は、実施形態１で説明したように、狭帯域放送のＡＶデコード処理を行なっている。この時点で、少なくともデスクランブラ部１０３、ＡＶデコーダ１０４、およびＡＶ補正部１０５は、初期化、設定が行なわれておらず、これらにＤＳＰが搭載されている場合には、ＤＳＰによって実行されるマイクロプログラムもセットされていない。本実施形態のデジタル放送受信装置は、これらの設定値やマイクロプログラム等（これらの設定値とマイクロプログラムを、「初期設定データ」と呼ぶ。）がワークメモリ１０９に格納されていることを利用するものである。具体的には、ワークメモリ１０９の特定領域と、復調部１０１、多重分離部１０２、デスクランブラ部１０３、ＡＶデコーダ１０４、およびＡＶ補正部１０５の各処理ブロックの設定レジスタとを一対一で対応させることにより、メインマイコン１１０を使わずに、初期化とマイクロプログラムのセットを行えるようにするものである。
【００９５】
例えば、まず、ワークメモリ１０９の１００００番地以降の領域と、初期化のための各初期設定値やマイクロプログラム等の各初期設定データを仮格納する領域（初期設定値格納部）とを対応付けておく。例えば、１００００番地からの領域には、ＡＶデコーダ１０４の設定レジスタ（初期設定値格納部）を順にアサイン（ａｓｓｉｇｎ）するものとする。そして、電源投入時に不揮発メモリ１１１からワークメモリ１０９にプログラム等が一旦転送される際に、その初期設定値も転送される。マイクロプログラムそのものや他の処理ブロックで用いられる設定値も同様に転送される。次に、初期データ転送制御部３００は、ワークメモリ１０９の１００００番地から順に、格納されたデータを、各処理部における対応付けられた設定レジスタに格納していく。設定レジスタごとにその仕様は異なり、アドレスも必ずしもシーケンシャルではない。設定順が問題となる場合もあるので、単純にデータを転送するＤＭＡ制御機能では、この処理を行なうことはできない。本実施形態の初期データ転送制御部３００は、ワークメモリ１０９のアドレスと、各設定先のアドレスとを対応づける機能を有することにより、設定先のアドレスが不連続であっても、データの設定を行える。
【００９６】
なお、本実施形態では、不揮発メモリ１１１からワークメモリ１０９への初期設定データの転送、およびワークメモリ１０９から各処理部への初期設定データの転送について説明したが、これらのデータ転送に、通常、マイコンが各処理ブロックへアクセスするためのバスを一時的に使用してもよい。これにより、新たに追加するリソースを少なくできる。
【００９７】
なお、初期データ転送制御部３００が、不揮発メモリ１１１の特定領域から、初期設定値として設定されたりマイクロプログラムとしてセットされる初期設定データを、ワークメモリ１０９を介さずに、直接、各処理ブロックのレジスタに転送するようにしてもよい。ワークメモリ１０９を介して転送するか、または、不揮発メモリ１１１から直接転送するかは、データバスの仕組み、メインマイコンのプログラム、不揮発メモリの機能や性能等に応じて決定してもよい。
【００９８】
《実施形態４》
実施形態１〜３のデジタル放送受信装置においても、メインマイコンが起動して狭帯域放送を受信するための初期設定を完了するまで、狭帯域放送の受信処理は開始されない。また、一般的なスタンバイマイコンは、通常、待機時にメインマイコンを起動させた後、再度リモコンからの入力待ちになる。そこで、狭帯域放送の受信処理が開始されるまでの時間をも短縮するため、スタンバイマイコンを狭帯域放送を受信するための初期設定に使用してもよい。
【００９９】
例えば、実施形態１のデジタル放送受信装置において、メインマイコン１１０が不揮発メモリ１１３からのデータをワークメモリ１０９に転送したり、広帯域放送の受信処理を行うために復調部１０１、多重分離部１０２等の初期設定をしている間に、スタンバイマイコン１１２（サブマイコン）が、狭帯域放送の再生のためにＡＶ補正部１０５の初期設定を行うようにしてもよい。なお、ここでのＡＶ補正部１０５の初期設定は、ＡＶ補正部１０５のセレクタ部がメインマイコン１１０によって復号されたデータを選択するようにするものである。
【０１００】
また、スタンバイマイコン１１２が、ＡＶ補正部１０５の初期設定だけでなく、復調部１０１の初期化、および多重分離部１０２が復調部１０１によって取り出されたＴＳパケットから、狭帯域放送の電波に基づくＴＳパケットを取得できるようにするのに必要な多重分離部１０２の初期化を行うようにしてもよい。
【０１０１】
なお、２つのマイコンに初期設定の処理をどのように分担するかは、各マイコン性能やシステム全体のアーキテクチャから決定すればよい。スタンバイマイコン１１２の性能に余裕がある場合には、狭帯域放送受信のための設定だけでなく、広帯域放送受信（広帯域放送の再生）に必要な設定にも使用してもよい。これにより、広帯域放送の高精細な映像が表示されるまでの時間をも短縮できる。
【０１０２】
また、スタンバイマイコン１１２が、実施形態２で説明したスタンバイマイコン２０２のように、狭帯域放送や広帯域放送の番組情報（補助データ）を取得するようにしてもよい。
【０１０３】
《実施形態５》
実施形態２のデジタル放送受信装置において、実際に番組のＡＶデータ取得が開始されても、Ｉピクチャ（フレーム内符号化画像）（キーフレーム）が受信されるまで、ＡＶデコーダ１０４は映像を復元できない。
【０１０４】
そこで、待機中に、スタンバイマイコン１１２が狭帯域放送のＩピクチャに対応するＴＳパケットだけを取得しておくようにしてもよい。これにより、起動後、メインマイコン１１０は、このＩピクチャを用いて、伸張を行うことができ、起動時間をより短縮できる。
【０１０５】
また、待機中に、スタンバイマイコン１１２が広帯域放送のＩピクチャに対応するＴＳパケットを取得しておくようにしてもよい。これにより、起動後、ＡＶデコーダ１０４は、このＩピクチャを用いて、伸張を行うことができ、広帯域放送の映像および音声が出力されるまでの時間をより短縮できる。
【０１０６】
待機時にスタンバイマイコンにどのデータまで取得させるかは、待機時の消費電力制限とデジタル放送受信装置の機能、性能、および仕様に応じて決定すればよい。
【０１０７】
《実施形態６》
特に大型の表示画面を持つテレビには、ＰＩＰ（Ｐｉｃｔｕｒｅ  Ｉｎ Ｐｉｃｔｕｒｅ）やＰＯＰ（Ｐｉｃｔｕｒｅ  Ｏｕｔ Ｐｉｃｔｕｒｅ）などの形態で、２つの異なる画面（番組やテレビに入力されている他のビデオ信号等）を表示する機能を有するものが多い。使い方としては、２画面を同時に見るよりも、メインとして見たい画面を大きく表示しておき、少し気になるスポーツ番組等のサブ画面を小さく表示して時々目を移す、といった視聴が一般的と思われる。しかしながら、本機能においては、ＰＩＰでもＰＯＰでも、サブ画面の存在が、メインとして見たい番組の視聴に少なからず影響を及ぼすことが避けられない。つまり、ＰＩＰでは、大きく表示される画面の一部がサブ画面によって遮られる。またＰＯＰではメインとサブの画面の大きさが異なる（これが一般的な視聴と前述した）場合には、通常の四角の画面上に何も表示されない無駄なスペースが生じる。このように、いずれの方法も、視聴者に対して不都合を生じさせる。
【０１０８】
実施形態６のデジタル放送受信装置は、図４に示すように、実施形態１のデジタル放送受信装置の映像表示部１０６に代えて、メイン画面の表示専用のメイン映像表示部４００と、サブ画面の表示専用のサブ映像表示部４０１とを別個に備えている。これにより、大画面に表示されているメイン画面の一部がサブ画面によって遮られることが回避される。サブ映像表示部４０１はこの用途の他、様々な使い方が可能である。
【０１０９】
例えば、下記の（１）〜（３）のような使い方が可能である。
（１）起動時に先に表示する狭帯域放送の映像をサブ映像表示部４０１に表示する。このとき、メイン映像表示部４００には、広帯域放送の映像だけを表示する。これにより、高精細の映像用の画面に低精細の映像を表示するアンバランスがなくなる。
（２）メイン映像表示部４００に表示された映像に関連するデータ放送等の補助データ、広帯域放送には関係のない補助データ等を表示する。
（３）静止画、動画、文字データ等、デジタル放送を受信することによって得た情報以外の情報を表示する。
【０１１０】
また、大画面の映像表示部は、それ自体の起動時間が長い場合がある。したがって、電源投入後、まず、狭帯域放送を小画面のサブ映像表示部に表示させるようにすれば、大画面のメイン映像表示部に表示させるよりも、表示されるまでにかかる時間が短くなる。
【０１１１】
《実施形態６の変形例》
また、サブ映像表示部を、デジタル放送受信装置の本体ではなくリモコンに設けてもよい。以下、サブ映像表示部をリモコンに設けた場合におけるデジタル放送受信装置５００およびリモコン５０３の構成について説明する。
【０１１２】
デジタル放送受信装置５００は、図５に示すように、サブ映像表示部４０１に代えて、映像音声送信部５０１を備え、スタンバイマイコン１１２に代えて、スタンバイマイコン５０２を備えている点で、実施形態６のデジタル放送受信装置と異なっている。その他の構成については、実施形態６のデジタル放送受信装置と同様である。
【０１１３】
リモコン５０３は、映像音声受信部５０４、映像表示部５０５、音声出力部５０６
、および操作送信部５０７を備え、デジタル放送受信装置５００を遠隔制御するようになっている。
【０１１４】
映像音声送信部５０１は、リモコン５０３の映像表示部５０５および音声出力部５０６に出力される映像音声データを無線信号に変換して送信する。例えば、デコード後の狭帯域放送のＡＶデータを送信する。リモコン５０３からデジタル放送受信装置５００へのデータ送信は、赤外線通信によって行われる。また、デジタル放送受信装置５００からリモコン５０３への映像音声データの送信は、データ量が多いため、電波通信によって行われる。しかし、これらのデータ送信は、他の通信方法によって行われるようにしてもよい。
【０１１５】
リモコン５０３の映像音声受信部５０４は、映像音声送信部５０１から電波通信によって送られてくる狭帯域放送のＡＶデータを受信し、映像表示部５０５に映像を表示させ、音声出力部５０６に音声を出力させる。映像表示部５０５は、映像音声受信部５０４によって受信された映像データに基づいて映像を表示し、音声出力部５０６は、映像音声受信部５０４によって受信された音声データに基づいて音声を出力する。視聴者は、リモコン５０３を操作することにより、広帯域放送がメイン映像表示部４００に表示されるよりも早く、手元の画面に映像を表示させることができる。また、画面が手元にあるので、低精細の映像が見やすくなる。
【産業上の利用可能性】
【０１１６】
本発明に係るデジタル放送受信装置は、デジタル放送受信装置に電源が投入されてから映像・音声の出力が開始されるまでの起動時間を、消費電力の大幅な増加を招くことなく短縮できるという効果を有し、例えば、デジタル放送の受信装置等として有用である。
【図面の簡単な説明】
【０１１７】
【図１】本発明の実施形態１に係るデジタル放送受信装置の構成を示すブロック図である。
【図２】本発明の実施形態２に係るデジタル放送受信装置の構成を示すブロック図である。
【図３】本発明の実施形態３に係るデジタル放送受信装置の構成を示すブロック図である。
【図４】本発明の実施形態６に係るデジタル放送受信装置の構成を示すブロック図である。
【図５】本発明の実施形態６の変形例に係るデジタル放送受信装置の構成を示すブロック図である。
【符号の説明】
【０１１８】
１００      アンテナ
１０１      復調部
１０２      多重分離部
１０３      デスクランブラ部
１０４      ＡＶデコーダ
１０５      ＡＶ補正部
１０６      映像表示部
１０７      音声出力部
１０８      メモリインタフェース
１０９      ワークメモリ
１１０      メインマイコン（マイコン）
１１１      不揮発メモリ
１１２      スタンバイマイコン
１１３      不揮発メモリ
１１４      リモコン
２０１      復調部（第１の復調部）
２０２      スタンバイマイコン（サブマイコン）
２０３      不揮発メモリ
３００      初期データ転送制御部
４００      メイン映像表示部
４０１      サブ映像表示部
５００      デジタル放送受信装置
５０１      映像音声送信部
５０２      スタンバイマイコン
５０３      リモコン
５０４      映像音声受信部
５０５      映像表示部
５０６      音声出力部
５０７      操作送信部
【図１】
2008187379.tif 000003
【図２】
2008187379.tif 000004
【図３】
2008187379.tif 000005
【図４】
2008187379.tif 000006
【図５】
2008187379.tif 000007